【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
給電素子と、
前記給電素子から距離をおいて設けられた第１の無給電素子と、
バラン構造体とを備え、
前記第１の無給電素子と前記給電素子のうちの少なくとも１つは、指向性アンテナ・アレイの自由空間波長の約０．５％より大きい幅を有しており、
前記バラン構造体は、ダイポール構造体と、前記ダイポール構造体から延びた第１の給電点と、前記第１の無給電素子から延びた第２の給電点とを有している、
指向性アンテナ・アレイ。
【請求項２】
前記ダイポール構造体は、前記指向性アンテナ・アレイの中心線から離れている、請求項１の指向性アンテナ・アレイ。
【請求項３】
前記ダイポール構造体は、半波長折り返しダイポールである、請求項１の指向性アンテナ・アレイ。
【請求項４】
前記ダイポール構造体は、テーパー構造体である、請求項１の指向性アンテナ・アレイ。
【請求項５】
第１の無給電素子と、
前記第１の無給電素子から距離をおいて設けられた給電素子と、
前記給電素子を電磁エネルギー送信部と電磁エネルギー受信部との少なくとも１つに結合するように形成されたバラン構造体とを備え、
前記バラン構造体は、ダイポール構造体と、前記ダイポール構造体から延びた第１の給電点と、前記第１の無給電素子から延びた第２の給電点とを有している、指向性アンテナ・アレイ。
【請求項６】
前記ダイポール構造体は、前記指向性アンテナ・アレイの中心線から離れている、請求項５の指向性アンテナ・アレイ。
【請求項７】
前記ダイポール構造体は、半波長折り返しダイポールである、請求項５の指向性アンテナ・アレイ。
【請求項８】
前記ダイポール構造体は、テーパー構造体である、請求項５の指向性アンテナ・アレイ。
【請求項９】
前記ダイポール構造体は、前記給電素子の第１の幅と前記給電素子の第２の幅とをさらに有している、請求項５の指向性アンテナ・アレイ。
【請求項１０】
前記第１の無給電素子と前記給電素子のうちの少なくとも１つは、前記指向性アンテナ・アレイの前記自由空間波長の約０．５％より大きい幅を有している、請求項５の指向性アンテナ・アレイ。
【請求項１１】
前記幅は、前記指向性アンテナ・アレイの前記自由空間波長の約１％より大きい、請求項１０の指向性アンテナ・アレイ。
【請求項１２】
前記幅は、前記指向性アンテナ・アレイの前記自由空間波長の約２％より大きい、請求項１０の指向性アンテナ・アレイ。
【請求項１３】
前記幅は、前記指向性アンテナ・アレイの前記自由空間波長の約４％より大きい、請求項１０の指向性アンテナ・アレイ。
【請求項１４】
前記給電素子から距離をおいて設けられた第２の無給電素子をさらに備え、
前記第１の無給電素子と前記給電素子と前記第２の無給電素子のうちの少なくとも１つは、指向性アンテナ・アレイの前記自由空間波長の約０．５％より大きい前記幅を有している、請求項１０の指向性アンテナ・アレイ。
【請求項１５】
前記第１の無給電素子と前記第２の無給電素子とに加えて複数の無給電素子をさらに備える、請求項１４の指向性アンテナ・アレイ。
【請求項１６】
前記第１の無給電素子と前記第２の無給電素子とは、少なくともほぼ平面内に設けられた素子である、請求項１４の指向性アンテナ・アレイ。
【請求項１７】
前記第２の無給電素子は、導波器である、請求項１４の指向性アンテナ・アレイ。
【請求項１８】
前記給電素子と前記第１の無給電素子と前記第２の無給電素子と前記バラン構造体とは、単一材料で形成されている、請求項１４の指向性アンテナ・アレイ。
【請求項１９】
前記第１の無給電素子は、反射器である、請求項５の指向性アンテナ・アレイ。
【請求項２０】
前記単一材料は、約０．２×１０−６Ω・ｍより大きい抵抗率を有している、請求項１８の指向性アンテナ・アレイ。
【請求項２１】
前記単一材料は、バネ鋼である、請求項１８の指向性アンテナ・アレイ。
【請求項２２】
前記給電素子と前記第１の無給電素子と前記第２の無給電素子とは、複数の開口をさらに有している、請求項５の指向性アンテナ・アレイ。
【請求項２３】
前記給電素子と前記第１の無給電素子との少なくとも一部を覆う被覆部材をさらに備える、請求項５の指向性アンテナ・アレイ。
【請求項２４】
前記給電素子と前記第１の無給電素子との少なくとも一部を覆う前記被覆部材は、エラストマーである、請求項５の指向性アンテナ・アレイ。
【請求項２５】
処理モジュールと、
前記処理モジュールに接続された指向性アンテナ・アレイとを備え、
前記指向性アンテナ・アレイは、第１の無給電素子と、前記第１の無給電素子から距離をおいて設けられた給電素子と、前記給電素子を電磁エネルギー送信部と電磁エネルギー受信部との少なくとも１つに結合するように形成されたバラン構造体とを備え、前記バラン構造体は、ダイポール構造体と、前記ダイポール構造体から延びた第１の給電点と、前記第１の無給電素子から延びた第２の給電点とを有している、ポータブル／ハンドヘルド装置。
【請求項２６】
前記ポータブル／ハンドヘルド装置は、ＲＦＩＤ質問器である、請求項２５のポータブル／ハンドヘルド装置。
【請求項２７】
前記第１の無給電素子と前記給電素子との少なくとも１つが前記指向性アンテナ・アレイの自由空間波長の約０．５％より大きい幅を有している、請求項２５のポータブル／ハンドヘルド装置。
【請求項２８】
前記幅は、前記指向性アンテナ・アレイの前記自由空間波長の約１％より大きい、請求項２７のポータブル／ハンドヘルド装置。
【請求項２９】
前記幅は、前記指向性アンテナ・アレイの前記自由空間波長の約２％より大きい、請求項２７のポータブル／ハンドヘルド装置。
【請求項３０】
前記幅は、前記指向性アンテナ・アレイの前記自由空間波長の約４％より大きい、請求項２７のポータブル／ハンドヘルド装置。
【請求項３１】
前記給電素子から距離をおいて設けられた第２の無給電素子をさらに備え、
前記第１の無給電素子と前記給電素子と前記第２の無給電素子のうちの少なくとも１つは、前記指向性アンテナ・アレイの前記自由空間波長の約０．５％より大きい前記幅を有している、請求項２７のポータブル／ハンドヘルド装置。
【請求項３２】
前記第１の無給電素子と前記第２の無給電素子とは、少なくともほぼ平面内に設けられた素子である、請求項３１のポータブル／ハンドヘルド装置。
【請求項３３】
前記第２の無給電素子は、導波器である、請求項３１のポータブル／ハンドヘルド装置。
【請求項３４】
前記給電素子と前記第１の無給電素子と前記第２の無給電素子とは、単一材料で形成されている、請求項３１のポータブル／ハンドヘルド装置。
【請求項３５】
前記単一材料は、約０．２×１０−６Ω・ｍより大きい抵抗率を有している、請求項３４のポータブル／ハンドヘルド装置。
【請求項３６】
前記単一材料は、バネ鋼である、請求項３５のポータブル／ハンドヘルド装置。
【請求項３７】
前記給電素子と前記第１の無給電素子と前記第２の無給電素子とは、複数の開口をさらに有している、請求項３１のポータブル／ハンドヘルド装置。
【請求項３８】
前記第１の無給電素子と前記第２の無給電素子とに加えて複数の無給電素子をさらに備える、請求項２７のポータブル／ハンドヘルド装置。
【請求項３９】
前記第１の無給電素子は、反射器である、請求項２７のポータブル／ハンドヘルド装置。
【請求項４０】
前記給電素子と前記第１の無給電素子との少なくとも一部を覆う被覆部材をさらに備える、請求項２７のポータブル／ハンドヘルド装置。
【請求項４１】
前記給電素子と前記第１の無給電素子との少なくとも一部を覆う前記被覆部材は、エラストマーである、請求項４０のポータブル／ハンドヘルド装置。